(57)【要約】      （修正有）【課題】適切なタイミングで予備吐出動作を行いつつ、画像ムラを抑制することができるインクジェット記録装置を提供する。【解決手段】インクを吐出して画像を記録する記録ヘッドと、記録ヘッドを搭載し記録動作が行われる記録領域を含む走査領域において往復移動するキャリッジと、記録領域の外側に配され記録ヘッドから予備吐出されたインクを受けるインク受容部と、前回予備吐出を実行してからの経過時間を計測する計測手段と、キャリッジが移動方向を反転する反転動作のタイミングで経過時間と閾値を比較し予備吐出させるか否かを判断する判断手段と、キャリッジが次の走査を開始する前に判断手段の判断に基づいて予備吐出させる制御手段と、制御手段が各反転動作のタイミングにおいて予備吐出させたか否かの実施結果を記憶する記憶手段を備え、判断手段は直前の所定回数分の実施結果に基づいて予備吐出させるか否かの判断を変更する。【選択図】図３
2019188775.tif 000002
【特許請求の範囲】
【請求項１】
画像データに基づいてインクを吐出して画像を記録する記録ヘッドと、
前記記録ヘッドを搭載し前記記録動作が行われる記録領域を含む走査領域において主走査方向に往復移動するキャリッジと、
前記記録領域の外側に配され前記記録ヘッドから予備吐出されたインクを受けるインク受容部と、
前回予備吐出を実行してからの経過時間を計測する計測手段と、
前記キャリッジが移動方向を反転する反転動作のタイミングで前記経過時間と閾値を比較することで前記記録ヘッドに予備吐出させるか否かを判断する判断手段と、
前記キャリッジが次の走査を開始する前に前記判断手段の判断に基づいて前記記録ヘッドに前記インク受容部に対して予備吐出させる制御手段と、を備えるインクジェット記録装置であって、
前記制御手段が各反転動作のタイミングにおいて前記記録ヘッドに予備吐出させたか否かの実施結果を記憶する記憶手段をさらに備え、
前記判断手段は、前記記憶手段に記憶された直前の所定回数分の前記実施結果に基づいて前記記録ヘッドに予備吐出させるか否かの判断を変更することを特徴とするインクジェット記録装置。
【請求項２】
前記判断手段は、前記記憶手段に記憶された直前の所定回数分の前記実施結果において連続して予備吐出が実施されている場合は、次の前記反転動作のタイミングで前記経過時間が前記閾値を超えないときも前記記録ヘッドに予備吐出を実行させ、前記記憶手段に記憶された直前の所定回数分の前記実施結果において一度も予備吐出が実施されていない場合は、次の前記反転動作のタイミングで前記経過時間が前記閾値を超えるときも、前記記録ヘッドに予備吐出を実行させないと判断することを特徴とする請求項1に記載のインクジェット記録装置。
【請求項３】
前記判断手段は、前記記憶手段に記憶された直前の所定回数分の前記実施結果において連続して予備吐出が実施されている場合は前記閾値に所定値を減算し、記記憶手段に記憶された直前の所定回数分の前記実施結果において一度も予備吐出が実施されていない場合は前記閾値に所定値を加算することを特徴とする請求項２に記載のインクジェット記録装置。
【請求項４】
前記判断手段は、インク種類に応じて前記閾値に加算または減算する値を変更することを特徴とする請求項３に記載のインクジェット記録装置。
【請求項５】
前記判断手段は、記録モードに応じて前記閾値に加算または減算する値を変更することを特徴とする請求項３または４に記載のインクジェット記録装置。
【請求項６】
前記制御手段は、前記画像データの前記主走査方向における幅が一定の場合に、前記記憶手段に記憶された前記実施結果に基づいて前記記録ヘッドに予備吐出させるか否かの判断を変更することを特徴とする請求項１から５のいずれか１項に記載のインクジェット記録装置。
【請求項７】
前記記録ヘッドはインクを吐出する吐出口が配された吐出口面を有し、
前記インク受容部は前記吐出口面を被覆可能なキャップであることを特徴とする請求項１から６のいずれか１項に記載のインクジェット記録装置。
【請求項８】
画像データに基づいてインクを吐出して画像を記録する記録ヘッドと、
前記記録ヘッドを搭載し、前記記録動作が行われる記録領域を含む走査領域において往復移動するキャリッジと、
前記記録領域の外側に配され前記記録ヘッドから予備吐出されたインクを受けるインク受容部と、を備えるインクジェット記録装置の制御方法であって、
前回予備吐出を実行してからの経過時間を計測する計測工程と、
前記キャリッジが移動方向を反転する反転動作のタイミングで前記経過時間と閾値を比較することで前記記録ヘッドに予備吐出させるか否かを判断する判断工程と、
前記キャリッジが次の走査を開始する前に前記判断工程の判断に基づいて前記記録ヘッドに前記インク受容部に対して予備吐出させる制御工程と、
前記制御工程によって各反転動作のタイミングにおいて前記記録ヘッドに予備吐出させたか否かの実施結果を記憶する記憶工程と、
前記記憶手段に記憶された直前の所定回数分の前記実施結果に基づいて前記判断工程での判断を変更する変更工程と、を有することを特徴とする制御方法。
【発明の詳細な説明】
【技術分野】
【０００１】
本発明は、記録ヘッドを用いて画像を記録するインクジェット記録装置及びその制御方法に関する。
【背景技術】
【０００２】
特許文献１には、記録ヘッドを搭載したキャリッジが往復移動することで画像を記録するインクジェット記録装置が開示されている。記録ヘッドの吐出口の詰まり等を解消するために予備吐出を行わせる際は、往復の記録とウェイト時間の総時間を算出して、総時間が所定時間以上であれば予備吐出を行わせる。これにより、画像品位を良好に保つことができる。
【先行技術文献】
【特許文献】
【０００３】
【特許文献１】特開２００７−２３７６７３号公報
【発明の概要】
【発明が解決しようとする課題】
【０００４】
しかしながら特許文献１の構成では、算出した総時間に応じて、キャリッジの反転時に予備吐出動作が実行される場合と実行されない場合がある。そのため、走査間でウェイト時間が変動することで画像ムラが発生することがある。
【０００５】
上記課題に鑑みて本発明は、適切なタイミングで予備吐出動作を行いつつ、画像ムラを抑制することができるインクジェット記録装置を提供することを目的とする。
【課題を解決するための手段】
【０００６】
本発明は、上記目的を達成するため、画像データに基づいてインクを吐出して画像を記録する記録ヘッドと、前記記録ヘッドを搭載し前記記録動作が行われる記録領域を含む走査領域において主走査方向に往復移動するキャリッジと、前記記録領域の外側に配され前記記録ヘッドから予備吐出されたインクを受けるインク受容部と、前回予備吐出を実行してからの経過時間を計測する計測手段と、前記キャリッジが移動方向を反転する反転動作のタイミングで前記経過時間と閾値を比較することで前記記録ヘッドに予備吐出させるか否かを判断する判断手段と、前記キャリッジが次の走査を開始する前に前記判断手段の判断に基づいて前記記録ヘッドに前記インク受容部に対して予備吐出させる制御手段と、を備えるインクジェット記録装置であって、前記制御手段が各反転動作のタイミングにおいて前記記録ヘッドに予備吐出させたか否かの実施結果を記憶する記憶手段をさらに備え、前記判断手段は、前記記憶手段に記憶された直前の所定回数分の前記実施結果に基づいて前記記録ヘッドに予備吐出させるか否かの判断を変更することを特徴とする。
【発明の効果】
【０００７】
本発明によれば、適切なタイミングで予備吐出動作を行いつつ、画像ムラを抑制することができるインクジェット記録装置が提供される。
【図面の簡単な説明】
【０００８】
【図１】第１実施形態に係るインクジェット記録装置の上面概略図である。
【図２】第１実施形態に係るインクジェット記録装置の制御構成を示すブロック図である。
【図３】第１実施形態に係る予備吐出動作の制御を示すフローチャートである。
【図４】第１実施形態に係る経過時間Ｔの計測結果と閾値Ｔｈの関係を示すグラフである。
【図５】第２実施形態に係る予備吐出動作の制御を示すフローチャートである。
【図６】第２実施形態に係る経過時間Ｔの計測結果と閾値Ｔｈの関係を示すグラフである。
【発明を実施するための形態】
【０００９】
本発明に係る記録装置の実施形態について説明する。ただし、実施形態に記載されている構成要素はあくまで例示であり、本発明の範囲を限定する趣旨のものではない。本明細書において「インク」とは、記録液などの液体の総称として用いる。さらに本明細書において「記録」とは、平面的なものに対する記録に限らず、立体物に対する記録も含む。本明細書において「記録媒体」とは、液体を吐出されるものであって、紙、布、プラスチックフィルム、金属板、ガラス、セラミックス、木材、皮革等の記録媒体の総称として用いる。さらに、記録媒体はカット紙に限らずロール状の連続紙も含む。
【００１０】
〔第１実施形態〕
図１は、インクジェット記録装置（以下、記録装置）１の全体構成を示す上面概略図である。記録装置１は主に、回復手段２と、搬送ローラ対３と、記録ヘッド５と、キャリッジ６と、ベルト７と、プーリ８と、ガイドシャフト９と、供給チューブ１０と、インクタンク１１と、予備吐受け１２と、を備える。搬送ローラ対３は、ステッピングモータによって駆動されて、記録媒体を挟持しながらＡ方向へ搬送する。記録媒体はロール状に巻かれたロール紙か、或いはカセットに積載されたカット紙のいずれであってもよい。
【００１１】
キャリッジ６は記録ヘッド５を搭載して、Ａ方向と交差するＢ方向（主走査方向）に往復移動する。本実施形態においては、Ａ方向とＢ方向は直交する。キャリッジ６は、ベルト７及びプーリ８ａ、８ｂを介してキャリッジモータ２３（図２参照）が連結されており、キャリッジモータ２３の駆動によってガイドシャフト９に案内支持されて往復走査する。
【００１２】
記録ヘッド５はキャリッジ６と共にＢ方向に移動しながら、搬送ローラ対３によって記録ヘッド５と対向する位置に搬送される記録媒体に対して、画像情報に基づいて画像を記録する記録動作を行う。記録動作によって記録媒体に１バンド分の画像が記録されると、記録媒体は搬送ローラ対３によって所定量だけＡ方向に搬送される（間欠搬送動作）。この１バンド分の記録動作と間欠搬送動作を繰り返すことによって、記録媒体の全体に画像が記録される。記録が行われた記録媒体は、排出ローラ及び拍車に挟持されて装置本体外へ排出される。
【００１３】
記録ヘッド５は、インクを吐出する複数の吐出口が形成された吐出口面を有する。また、記録ヘッド５に対しては、キャリッジ６の走査領域外に配置されたインクタンク１１から供給チューブ１０を介してインクが供給される。記録ヘッド５は、電気エネルギを熱エネルギに変換する電気熱変換体（不図示）を備え、その電気熱変換体によって印加される熱エネルギにより、インクに生じる膜沸騰を利用してインクを吐出する。なお、インクの吐出方法はこれに限らず、圧電素子を用いたピエゾ方式であってもよい。また、供給チューブ１０を備えず、キャリッジ６にインクタンク１１を搭載する形態であってもよい。
【００１４】
回復手段２は、記録ヘッド５の吐出性能を維持回復するための機構である。回復手段２は、記録ヘッド５の吐出口面を被覆可能なキャップと、キャップに接続されキャップと吐出口面とで形成される空間に負圧を付与して吐出口からインクを排出させるための吸引ポンプと、を含む。
【００１５】
記録ヘッド５は、記録動作に寄与しないインクを吐出させて吐出性能を回復する、予備吐出動作も行う。予備吐出動作は例えば、記録動作のためにキャリッジ６が走査を開始する前に、予備吐受け１２もしくは回復手段２のキャップに対して行われる。すなわち、予備吐受け１２と回復手段２のキャップは、記録ヘッド５の予備吐出動作で吐出されるインクを受けるインク受容部である。予備吐受け１２と回復手段２のいずれも、記録ヘッド５により記録動作が行われる記録領域の外側であって、キャリッジ６の走査領域内に配されている。回復手段２と予備吐受け１２は主走査方向において記録領域の両側に位置し、回復手段２が配される位置をホームポジションと称し、予備吐受け１２が配される位置をアウェイポジションと称する。記録ヘッド５による記録動作が終了すると、キャリッジ６はホームポジションに戻り、回復手段２のキャップによって記録ヘッド５の吐出口面がキャッピングされる。
【００１６】
図２は、記録装置１の各部を制御する制御系の構成を示すブロック図である。記録装置１は、ＣＰＵ２０ａと、ＲＯＭ２０ｂと、ＲＡＭ（記憶手段）２０ｃとを備えた制御部２０を有する。ＣＰＵ２０ａは、マイクロプロセッサ等の中央情報処理装置である。ＲＯＭ２０ｂは、ＣＰＵ２０ａの制御プログラムや各種データを格納している。ＲＡＭ２０ｃは、ＣＰＵ２０ａのワークエリアとして使用されるとともに、各種データの一時保存等を行う。
【００１７】
記録装置１は、制御部２０の他に、インターフェース２１と、操作パネル２２と、各モータ２３〜２５と、各モータを駆動するためのドライバ２７と、記録ヘッド５を駆動するためのドライバ２８と、を備える。キャリッジモータ２３は、ドライバ２７によって制御されてキャリッジ６を駆動する。給紙モータ２４は、ドライバ２７によって制御され、不図示の給紙ローラを駆動して記録媒体を給紙させる。搬送モータ２５は、ドライバ２７によって制御され搬送ローラ対３を駆動する。
【００１８】
制御部２０は、インターフェース２１を介して操作パネル２２や外部装置２９からの各種情報（例えば、文字ピッチ，文字種類等）を入力する。また、制御部２０は、インターフェース２１を介して各モータ２３〜２５を駆動させる。記録ヘッド５により記録する画像データは外部装置１００から入力され、プリントバッファ１０１を介して制御部２０へ送られる。また、制御部２０は、インターフェース２１を介して、時間計測を行うタイマ（計測手段）３０と、回数をカウントするカウンタ３２を制御する。
【００１９】
記録ヘッド５による予備吐出動作は、記録開始時に限らず、記録動作中にも回復手段２のキャップか予備吐受け１２に対して行う。従来、予備吐出動作は、例えばキャリッジ６が反転動作を行うタイミングで、前回の予備吐出動作からの経過時間を閾値と比較し、閾値を超えていたら行われていた。前回の予備吐出動作からの経過時間はキャリッジ６の走査時間に依存するが、走査時間は各種要因によって変動することがある。そのため、主走査方向における長さ（幅）が一定の画像情報を記録している場合でも、キャリッジ６の走査時間のバラつきによって、反転動作のタイミングで予備吐出動作が行われるときと行われないときがあった。
【００２０】
また、予備吐出動作には所定の時間を要するため、予備吐出動作を実施した場合は予備吐出動作前の走査と、予備吐出動作後の走査とに、所定のウェイト時間が生じる。例えば、反転動作が行われる度に毎回予備吐出動作が行われる場合は、走査間で毎回所定のうぃえと時間が生じるため画像ムラは発生しない。しかしながら、複数回の反転動作で毎回予備吐出動作を行った後、次の反転動作において予備吐出動作が行われなかった場合は、走査間のウェイト時間が変更されるため画像ムラとなる。同様に、複数回の反転動作で一度も予備吐出動作を行わず、その次の反転動作において予備吐出動作を行った場合も、走査間のウェイト時間が変更されるため画像ムラが生じる。なお、複数回の反転動作で予備吐出動作を実施したりしなかったりする場合は、走査間のウェイト時間も毎回異なることから、画像ムラの問題は生じにくいことが分かっている。
【００２１】
そこで、本実施形態では、過去複数回分のキャリッジ６の反転時における予備吐出動作の実施状況を記憶し、その結果に基づいて予備吐出動作を行うか否かを決定する制御を行う。具体的には、直前の複数走査における予備吐出動作の実施結果に応じて、前回の予備吐出動作からの経過時間と比較するための閾値を変更する。
【００２２】
図３は、本実施形態における予備吐出動作の制御を示すフローチャートである。記録ヘッド５による記録動作を開始する際は、キャリッジ６がホームポジションに位置する状態から開始されるため、記録動作もホームポジション側から開始される。そのため、ホームポジションから、予備吐受け１２が配されるアウェイポジションへのキャリッジ６の移動を往走査と称し、その逆を復走査と称する。
【００２３】
また、本実施形態においては、記録媒体がホームポジション側を基準として給紙される構成である。そのため、ホームポジションにおいて、復走査から往走査へ向けてキャリッジ６の移動方向を反転する反転動作を行う際は、毎回、記録ヘッド５から回復手段２（キャップ）へ向けて予備吐出動作を行うものとする。従って、予備吐出動作の実行の有無を判断するのは、キャリッジ６が往走査から復走査に移動方向を反転する際に、アウェイポジションにおいて予備吐受け１２に対して行う予備吐出動作を制御対象とする。
【００２４】
さらに、本実施形態においては、主走査方向における長さが一定の画像情報を記録する際に行われる予備吐出動作を制御する。仮に、主走査方向における長さにバラつきがある画像情報の場合には、本制御は適用されない。
【００２５】
ステップＳ３０２において、ホームポジション（図３ではＨＰ）からキャリッジ６の往走査が開始するため、制御部２０はドライバ２８を介して記録ヘッド５に予備吐出動作を行わせる。このときの予備吐出動作は、回復手段２のキャップに対して行われる。このとき、制御部２０では、ステップＳ３０３にて、インターフェース２１を介してタイマ３０を制御し、予備吐出動作が実行されてからの時間計測を開始する。
【００２６】
続いて、ステップＳ３０４にて、制御部２０はキャリッジ６の往走査と記録ヘッド５による記録動作を開始する。１走査の記録動作が終了すると、ステップＳ３０５にてキャリッジ６は記録領域の外側へ抜けて、復走査へ反転するために停止する。このとき制御部２０では、キャリッジ６が復走査を開始するタイミングで、タイマ３０による時間計測を終了し、往走査開始時の予備吐出動作からの経過時間Ｔを結果として取得する。すなわち、経過時間Ｔとは、前回予備吐出動作を実行してからの経過時間を意味する。ここで、経過時間Ｔは、キャリッジ６が反転するために停止してから往走査開始するまでにタイムラグが生じた場合は、そのタイムラグを含むものとする。
【００２７】
制御部２０では、ステップＳ３０６にて取得された経過時間Ｔと閾値Ｔｈとを比較して、経過時間Ｔが閾値Ｔｈを超えていたら、アウェイポジションにおいて記録ヘッド５に予備吐受け１２に対する予備吐出動作を行わせる。一方、経過時間Ｔが閾値Ｔｈ未満であれば、記録ヘッド５にアウェイポジションにおける予備吐出動作は行わせずに、キャリッジ６の復走査と共に記録動作を行わせる。
【００２８】
ステップＳ３０７にて、制御部２０は、直前４回の往走査から副走査への反転時にアウェイポジションにおいて、予備吐出動作を４回連続で行ったか（反転時に毎回予備吐出動作を行ったか）判定する。４回連続でアウェイポジションでの予備吐出動作が行われている場合は、記録ヘッド５に予備吐出動作を行わせる制御を行う。すなわち、ステップＳ３１１にて、制御部２０によって、経過時間Ｔが閾値Ｔｈを超えるように、閾値Ｔｈから所定時間（例えば０．０５秒）減算する。なお、閾値Ｔｈは、主走査方向における長さが一定の画像情報を記録するために、キャリッジ６が最大速度で移動した場合の経過時間Ｔより小さくなるように減算される。
【００２９】
ここで、ステップＳ３１１の前のステップＳ３０９において、制御部２０は、閾値Ｔｈが、閾値変更の下限値であるＴｈｍｉｎより大きいか判定している。これは、ステップＳ３１１のように減算処理を繰り返すことで、閾値Ｔｈが適切な値ではなくなってしまうことが考えられるためである。そのため、ステップＳ３０９において、閾値Ｔｈが所定範囲で変更されるように判定が行われる。閾値Ｔｈが下限値Ｔｈｍｉｎよりも小さい場合は、閾値Ｔｈを変更せずに次のステップへ進む。
【００３０】
ステップＳ３０７において、制御部２０により予備吐出動作を４回連続で行っていないと判定された場合は、ステップＳ３０８にて、直前４回の往走査から副走査への反転時に１度も予備吐出動作を行わなかったか（予備吐出動作の実施回数が０回か）判定する。１度もアウェイポジションでの予備吐出動作が行われていない場合は、記録ヘッド５に予備吐出動作を行わせない制御を行う。すなわち、ステップＳ３１２にて、制御部２０によって、経過時間Ｔが閾値Ｔｈを超えないように、閾値Ｔｈに所定時間（例えば０．０５秒）加算する。なお、閾値Ｔｈは、主走査方向における長さが一定の画像情報を記録するために、キャリッジ６が最小速度で移動した場合の経過時間Ｔより大きくなるように減算される。
【００３１】
ここで、ステップＳ３１２の前にステップＳ３１０において、制御部２０は、閾値Ｔｈが、閾値変更の上限値であるＴｈｍａｘより小さいか判定している。これは、ステップＳ３１２のように加算処理を繰り返すことで、閾値Ｔｈが適切な値ではなくなってしまうことが考えられるためである。そのため、ステップＳ３１０において、閾値Ｔｈが所定範囲で変更されるように判定が行われる。閾値Ｔｈが上限値Ｔｈｍａｘより大きい場合は、閾値Ｔｈを変更せずに次のステップへ進む。
【００３２】
なお、ステップＳ３０７やステップＳ３０８において、制御部２０によって、直前４回の往走査から副走査への反転時に、予備吐出動作を実施したときと実施していないときが混在していると判定された場合には、閾値Ｔｈを変更しない。
【００３３】
続くステップＳ３１３にて、制御部２０は、今回取得された経過時間Ｔが閾値Ｔｈより大きいか判定する。すなわち、ステップＳ３１３では、予備吐出動作を実行するか否かを判定している。経過時間Ｔが閾値Ｔｈより大きい場合、ステップＳ３１４にて制御部２０は予備吐出実行フラグをＯＮにする。
【００３４】
ステップＳ３１５にて、制御部２０は、予備吐出実行フラグがＯＮであるか確認する。予備吐出実行フラグがＯＮの場合は、ステップＳ３１６にて、制御部２０はキャリッジ６を予備吐受け１２と対向する位置へ移動させて、ステップＳ３１７にて記録ヘッド５に予備吐出動作を実行させる。
【００３５】
ステップＳ３１８にて、制御部２０は、予備吐出動作の実施結果を更新する。すなわち制御部２０は、過去４回分の実施結果のうち、最も古い４回前の結果を削除するとともに、今回の予備吐出動作を実施した結果を反映する。ステップＳ３１９にて、制御部２０は、予備吐出実行フラグをＯＦＦにする。
【００３６】
一方、ステップＳ３１５にて予備吐出実行フラグがＯＦＦの場合は、ステップＳ３２０にて制御部２０は、予備吐出動作の実施結果（非実施回数）を更新する。すなわち制御部２０は、過去４回分の実施結果のうち、最も古い４回前の結果を削除するとともに、今回の予備吐出動作を実施しなかった結果を反映する。ステップＳ３２１にて、制御部２０は、キャリッジ６の復走査を開始させて、フローを終了する。
【００３７】
図４は、図３に示す制御を実行したときの経過時間Ｔの計測結果と閾値Ｔｈの関係を示すグラフである。本実施形態においては、Ａ４サイズの記録媒体を用い、キャリッジ６の移動速度が２５ｉｎｃｈ／ｓｅｃの記録動作を実施した。
【００３８】
図４（ａ）は、過去４回の往走査から副走査への反転時において、予備吐出動作を４回連続で行った場合のグラフである。図４（ｂ）は、過去４回の往走査から副走査への反転時において、１度も予備吐出動作を行わなかった場合のグラフである。図４（ｃ）は、過去４回の往走査から副走査への反転時において、予備吐出動作を実施したときと実施していないときが混在していた場合のグラフである。
【００３９】
図４（ａ）において、閾値Ｔｈは初め、点線で示す０．４９秒に設定されている。第ｎ−４走査から第ｎ−１走査の４回において、計測された経過時間Ｔは閾値Ｔｈである０．４９秒より大きいため、４回全てにおいて予備吐出動作が実施されている。従って、第ｎ走査においては、制御部２０によって図３におけるステップＳ３１１の減算処理が行われて、新たな閾値Ｔｈとして実線で示す０．４４秒に設定される。
【００４０】
第ｎ走査では計測された経過時間Ｔが０．４８秒であり、変更前の閾値Ｔｈ（０．４９秒）と比較した場合は経過時間Ｔが閾値Ｔｈより小さいため、予備吐出動作が実行されないこととなる。その結果、第ｎ−１走査と第ｎ走査の走査間のウェイト時間が、それまでの第ｎ−２走査と第ｎ−１走査の走査間や第ｎ−３走査と第ｎ−２走査の走査間におけるウェイト時間から変更される（短くなる）ため、画像ムラが発生してしまう。
【００４１】
一方、新しく設定された閾値Ｔｈと比較した場合は、計測された経過時間Ｔ（０．４８秒）が閾値Ｔｈ（０．４４秒）より大きいため、アウェイポジションにおける予備吐出動作が実行される。これにより、第ｎ−１走査と第ｎ走査の走査間と、それまでの走査間とにおけるウェイト時間の時間差が低減し、画像ムラの発生が抑制される。
【００４２】
図４（ｂ）においても、閾値Ｔｈは初め、点線で示す０．４９秒に設定されている。第ｎ−４走査から第ｎ−１走査の４回において、計測された経過時間Ｔは閾値Ｔｈである０．４９秒より小さいため、４回全てにおいて１度も予備吐出動作が実行されない。従って、第ｎ走査においては、制御部２０によって図３におけるステップＳ３１２の加算処理が行われて、新たな閾値Ｔｈとして実線で示す０．５４秒に設定される。
【００４３】
第ｎ走査では計測された経過時間Ｔが０．５０秒であり、変更前の閾値Ｔｈ（０．４９秒）と比較した場合は経過時間Ｔが閾値Ｔｈより大きいため、予備吐出動作が実行されることとなる。その結果、第ｎ−１走査と第ｎ走査の走査間のウェイト時間が、それまでの第ｎ−１走査と第ｎ−２走査の走査間や第ｎ−３走査と第ｎ−２走査の走査間におけるにおけるウェイト時間から変更される（長くなる）ため、画像ムラが発生してしまう。
【００４４】
一方、新しく設定された閾値Ｔｈと比較した場合は、計測された経過時間Ｔ（０．５０秒）が閾値Ｔｈ（０．５４秒）より小さいため、アウェイポジションにおける予備吐出動作が実行されない。これにより、第ｎ−１走査と第ｎ走査の走査間と、それまでの走査間とにおけるウェイト時間の時間差が低減し、画像ムラの発生が抑制される。
【００４５】
図４（ｃ）においても、閾値Ｔｈは点線で示す０．４９秒に設定されている。第ｎ−４走査と第ｎ−１走査においては計測された経過時間Ｔが閾値Ｔｈより小さく、第ｎ−３走査と第ｎ−２走査においては計測された経過時間Ｔが閾値Ｔｈより大きい。そのため、予備吐出動作が実施されたりされなかったりすることで、ウェイト時間も毎回異なることから、閾値Ｔｈの減算処理と加算処理のいずれも行われないように制御される。
【００４６】
以上の制御によれば、主走査方向における長さが一定の画像情報を記録している場合で、予備吐出動作が過去の所定回数において連続的に実施されている場合には、予備吐出動作が行われやすい閾値に変更する。逆に、予備吐出動作が過去の所定回数において一度も実施されていない場合には、予備吐出動作が行われにくい閾値に変更する。これにより、キャリッジ６の走査時間にばらつきが発生しても、安定的な予備吐出動作が実現できる。また、予備吐出動作の実施・非実施の変化を低減することができ、画像ムラを抑制することができる。
【００４７】
なお、本実施形態においては過去４回分の予備吐出動作の実施結果を取得したが、取得する所定回数は適宜設定すればよい。また、閾値Ｔｈに対して加算或いは減算する値を０．０５秒としたが、インクの種類や記録モードに応じて適宜変更してもよい。
【００４８】
また、本実施形態においては、予備吐出動作を変更する手段として計測された経過時間Ｔに対する閾値Ｔｈを変更する制御としたが、閾値の変更に限らず、予備吐出動作の実施・非実施を変更できる制御であれば適宜採用可能である。
【００４９】
さらに、本実施形態においては、過去の予備吐出動作の実施回数または非実施回数を保存し、その結果に基づいて当該走査における予備吐出動作の実施・非実施を変更する構成とした。しかしながら、例えば計測された経過時間Ｔと閾値Ｔｈとの比較結果を保存したり、各往走査におけるキャリッジの移動距離が一定距離を超えた結果を保存したりすることでも、同様の制御を実行することができる。
【００５０】
また、本実施形態においては、閾値Ｔｈと計測された経過時間Ｔの比較結果のみに基づいて閾値Ｔｈを変更する制御としたが、閾値Ｔｈと経過時間Ｔの差分に応じて閾値Ｔｈを変更する制御としてもよい。例えば、経過時間Ｔと閾値Ｔｈの差分が所定値より大きい場合には閾値Ｔｈを変更しないことで、主走査方向の長さが一定ではない画像を記録する場合にも対応することができる。
【００５１】
〔第２実施形態〕
第２実施形態においては、第１実施形態と異なり、記録媒体が記録領域の中心を基準位置として給紙される、センタ給紙の構成を説明する。従って、キャリッジ６が往走査を開始する前に予備吐出動作を実行する場合は、キャリッジ６をホームポジションに位置する回復手段２のキャップ位置まで移動させる。そして、キャリッジ６が復走査を開始する前に予備吐出動作を実行する場合は、キャリッジ６をアウェイポジションの予備吐受け１２まで移動させる。このような構成において、往走査から復走査への反転時と共に、復走査から往走査への反転時においても、予備吐出動作を実行するか否かを判断する制御を行う。
【００５２】
図５は、第２実施形態における予備吐出動作の制御を示すフローチャートである。図５においては、第ｎ−１走査を実行した後であって第ｎ走査を開始する前に、予備吐出動作を実行するか否かを決定する。
【００５３】
第ｎ−１走査が終了すると、ステップＳ５０２にて制御部２０は、今回の走査（第ｎ走査）と同じ走査方向である直前の第ｎ−２走査と、さらに前の第ｎ−４走査を開始する前における予備吐出動作の実施結果を確認する。２回とも予備吐出動作が実施された場合、制御部２０は、ステップＳ５０３にて、現在の閾値Ｔｈが下限値Ｔｈｍｉｎより大きいか確認し、大きい場合はステップＳ５０４にて閾値Ｔｈから所定時間（例えば０．１秒）減算する。
【００５４】
一方、第ｎ−２走査と第ｎ−４走査のいずれの開始前でも予備吐出動作が実施されていない場合、制御部２０は、ステップＳ５０６にて現在の閾値Ｔｈが上限値Ｔｈｍａｘより小さいか確認する。上限値Ｔｈｍａｘより小さい場合は、ステップＳ５０７にて制御部２０は、閾値Ｔｈから所定時間（例えば０．１秒）加算する。なお、ステップＳ５０３やステップＳ５０６にて上限値Ｔｈｍａｘ及び下限値Ｔｈｍｉｎと比較する理由は、第１実施形態において述べた通りである。
【００５５】
ステップＳ５０８にて、制御部２０は、今回取得された経過時間Ｔが閾値Ｔｈより大きいか判定し、予備吐出動作を実行するか否か判断する。経過時間Ｔが閾値Ｔｈより大きい場合、ステップＳ５０９にて制御部２０は予備吐出実行フラグをＯＮにする。
【００５６】
ステップＳ５１０にて、制御部２０は予備吐出実行フラグがＯＮであるか確認する。予備吐出実行フラグがＯＮの場合は、ステップＳ５１１にて、制御部２０はキャリッジ６を予備吐出位置である、回復手段２のキャップまたは予備吐受け１２と対向する位置へ移動させて、ステップＳ５１２にて記録ヘッド５に予備吐出動作を実行させる。
【００５７】
このとき制御部２０では、ステップ５１７にて、インターフェース２１を介してタイマ３０を制御し、予備吐出動作が実行されてからの時間計測を再度開始する。ステップＳ３１８にて制御部２０は、予備吐出動作の実施結果を更新する。すなわち制御部２０は、過去４回分の実施結果のうち、最も古い第ｎ−４走査開始前の結果を削除するとともに、今回の第ｎ走査開始前に予備吐出動作を実施した結果を反映する。ステップＳ３１９にて、制御部２０は、予備吐出実行フラグをＯＦＦにする。
【００５８】
一方、ステップＳ５１０にて予備吐出実行フラグがＯＦＦの場合は、ステップＳ５１６にて制御部２０は、予備吐出動作の実施結果を更新する。すなわち制御部２０は、過去４回分の実施結果のうち、最も古い第ｎ−４走査開始前の結果を削除するとともに、今回の第ｎ走査開始前に予備吐出動作を実施しなかった結果を反映する。ステップＳ５１５にて、制御部２０は、キャリッジ６の走査を開始させてフローを終了する。
【００５９】
図６は、図５に示す制御を実行したときの経過時間Ｔの計測結果と閾値Ｔｈの関係を示すグラフである。本実施形態においても、Ａ４サイズの記録媒体を用い、キャリッジ６の移動速度が２５ｉｎｃｈ／ｓｅｃの記録動作を実施した。
【００６０】
図６（ａ）は、第ｎ−４走査と第ｎ−２走査の開始前に予備吐出動作を実行した場合のグラフである。図６（ｂ）は、第ｎ−４走査と第ｎ−２走査の開始前のいずれにおいても予備吐出動作を実行しなかった場合のグラフである。図６（ｃ）は、第ｎ−４走査開始前には予備吐出動作を実行するが、第ｎ−２走査開始前には予備吐出動作を実行しなかった場合のグラフである。
【００６１】
図６（ａ）において、閾値Ｔｈは初め、点線で示す０．９５秒に設定されている。第ｎ−５走査開始前（第ｎ−６走査終了後）には、計測された経過時間Ｔが閾値Ｔｈより小さいため予備吐出動作が行われず、経過時間Ｔの計測も継続される。第ｎ−４走査開始前（第ｎ−５走査終了後）には、計測された経過時間Ｔが閾値Ｔｈを超えたため、第ｎ−４走査開始前に予備吐出動作が実行されて、経過時間Ｔもリセットされる。
【００６２】
第ｎ−３走査開始前（第ｎ−４走査終了後）においても予備吐出動作は行われず、第ｎ−２走査開始前（第ｎ−３走査終了後）に計測時間Ｔが閾値Ｔｈを超えたため、予備吐出動作が実行されて、経過時間Ｔがリセットされる。このように、第ｎ−４走査開始前と第ｎ−２走査開始前に予備吐出動作が実行されたため、第ｎ走査開始前には、制御部２０によって減算処理が行われて、新たな閾値Ｔｈとして実線で示す０．８５秒に設定される。
【００６３】
第ｎ走査開始前では、計測された経過時間Ｔが０．９１秒であり、変更前の閾値Ｔｈ（０．９５秒）と比較した場合は経過時間Ｔが閾値Ｔｈより小さいため、予備吐出動作が実行されないこととなる。その結果、第ｎ−１走査と第ｎ走査の走査間のウェイト時間が他の走査間におけるウェイト時間から変更される（短くなる）ため、画像ムラが発生してしまう。
【００６４】
一方、新しく設定された閾値Ｔｈと比較した場合は、計測された経過時間Ｔ（０．９１秒）が閾値Ｔｈ（０．８５秒）より大きいため、第ｎ走査開始前に予備吐出動作が実行される。これにより、第ｎ−１走査と第ｎ走査の走査間と、それまでの走査間とにおけるウェイト時間の時間差が低減し、画像ムラの発生が抑制される。また、このような制御を行うことで、ホームポジションかアウェイポジションにおいて、連続して予備吐出動作が実行されるように制御することができる。
【００６５】
図６（ｂ）において、閾値Ｔｈは初め、点線で示す０．４５秒に設定されている。第ｎ−４走査開始前は、経過時間Ｔが閾値Ｔｈより小さいため予備吐出動作が行われず、経過時間Ｔの計測も継続される。その後、第ｎ−３走査開始前には経過時間Ｔが閾値Ｔｈより大きいため、予備吐出動作が実行されて、経過時間Ｔがリセットされる。
【００６６】
第ｎ−２走査開始前においても予備吐出動作が行われず、第ｎ−３走査開始前に経過時間Ｔが閾値Ｔｈを超えたため、予備吐出動作が実行されて、経過時間Ｔがリセットされる。このように、第ｎ−４走査開始前と第ｎ−２走査開始前のいずれにおいても予備吐出動作が実行されなかったため、第ｎ走査開始前には、制御部２０によって加算処理が行われて、新たな閾値Ｔｈとして実線で示す０．５５秒に設定される。
【００６７】
第ｎ走査開始前では、計測された経過時間Ｔが０．４８秒であり、変更前の閾値Ｔｈ（０．４５秒）と比較した場合は経過時間Ｔが閾値Ｔｈを超えているため、予備吐出動作が実行されることとなる。その結果、第ｎ−１走査と第ｎ走査間のウェイト時間が他の走査間におけるウェイト時間から変更される（長くなる）ため、画像ムラが発生してしまう。
【００６８】
一方、新しく設定された閾値Ｔｈと比較した場合は、計測された経過時間Ｔ（０．４８秒）が閾値Ｔｈ（０．５５秒）より小さいため、第ｎ走査開始前に予備吐出動作が実行されない。これにより、第ｎ−１走査と第ｎ走査の走査間と、それまでの走査間とにおけるウェイト時間の時間差が低減し、画像ムラの発生が抑制される。また、このような制御を行うことで、ホームポジションかアウェイポジションにおいては、予備吐出動作が実行されないように制御することができる。
【００６９】
図６（ｃ）では、閾値Ｔｈは点線で示す０．９５に設定されている。第ｎ−４走査開始前（第ｎ−５走査終了後）には経過時間Ｔが閾値Ｔｈを超えているため、予備吐出動作が実行されて経過時間Ｔがリセットされる。しかし、第ｎ−２走査開始前（第ｎ−３走査終了後）には、経過時間Ｔが閾値Ｔｈより小さいため、予備吐出動作が行われない。そのため、第ｎ−１走査開始前に予備吐出動作が実行されて経過時間Ｔがリセットされる。
【００７０】
このように、第ｎ−４走査開始前に予備吐出動作を実行し、第ｎ−２走査開始前に予備吐出動作を実行しなかった場合は、閾値Ｔｈを変更する制御は行われない。
【００７１】
なお、本実施形態においては、キャリッジ６の同じ走査方向への走査のうち、過去２回分の予備吐出動作の実施結果に基づいて制御を変更する内容としたが、取得する回数は適宜設定すればよい。往走査と復走査で取得する回数を変更してもよく、インク種類や、記録条件に応じて取得する回数を変更してもよい。
【００７２】
また、本実施形態においては閾値Ｔｈの調整を加算する場合と減算する場合とで同じ値を使用したが、本体構成や画像パターンなどに応じて異なる値としてもよい。
【符号の説明】
【００７３】
１  インクジェット記録装置
２  回復手段
５  記録ヘッド
６  キャリッジ
１２  予備吐受け（インク受容部）
２０  制御部（制御手段）
２０ｃ  ＲＡＭ（記憶手段）
３０  タイマ（計測手段）
【図１】
2019188775.tif 000003
【図２】
2019188775.tif 000004
【図３】
2019188775.tif 000005
【図４】
2019188775.tif 000006
【図５】
2019188775.tif 000007
【図６】
2019188775.tif 000008